(57)【要約】浄水器叉はアンダーシンクから漏れる流体により、パルプ圧縮体の体積が膨張する場合、それに連動してチェックバルブ用プランジャーにより浄水器などへ流入される原水を自動遮断し、これ以上の流体の漏出を防止すること。【解決手段】原水供給源からの原水を浄水器に供給する流路に設けられる浄水器漏水防止装置は、原水供給源と連通する原水流入口と、浄水器と連通する原水排出口と、原水流入口と原水排出口を連通させる原水移動通路が内部に形成された上部ケースと、上部ケースの底面に固定されており、浄水器から漏水し、底部を通じて流入してくる漏出水を吸収する場合に体積が膨張する圧縮体が内蔵されている下部ケースと、原水移動通路を開閉するように遊動可能に組み合わせられ、漏出水の吸収により圧縮体の体積の膨張に連動して前記原水移動通路を閉鎖し、原水排出口を通じて原水の排出を遮断するチェックバルブ用プランジャーとを含む。【選択図】図２
2011521123.tif 000002
【特許請求の範囲】
【請求項１】
原水供給源からの原水を浄水器に供給する流路に設けられる浄水器漏水防止装置であって、
前記原水供給源と連通する原水流入口と、前記浄水器と連通する原水排出口と、前記原水流入口と原水排出口とを連通させる原水移動通路が内部に形成された上部ケースと、
前記上部ケースの底面に固定され、前記浄水器から漏水し、底部を通じて流入してくる漏出水を吸収する場合に体積が膨張する圧縮体が内蔵されている下部ケースと、
前記原水移動通路を開閉するように遊動可能に組み合わせられ、漏出水の吸収により前記圧縮体の体積の膨張に連動して前記原水移動通路を閉鎖し、前記原水排出口を通じて原水の排出を遮断するチェックバルブ用プランジャーとを含む、浄水器漏水防止装置。
【請求項２】
前記圧縮体は、パルプ圧縮体、スポンジペーパー、不織布叉はレーヨンである、請求項１に記載の浄水器漏水防止装置。
【請求項３】
前記圧縮体は、前記下部ケースの底面から露出されており、漏出水が接触して吸収される時間を最小化させるように底面に突出部が形成されている、請求項２に記載の浄水器漏水防止装置。
【請求項４】
前記チェックバルブ用プランジャーの下端に固定されており、前記圧縮体の膨張時、チェックバルブ用プランジャーを押し上げる支持板を含む、請求項３に記載の浄水器漏水防止装置。
【請求項５】
前記チェックバルブ用プランジャーを前記原水移動通路を閉鎖させる反対方向に弾性支持する弾性部材を含む、請求項４に記載の浄水器漏水防止装置。
【請求項６】
前記下部ケースを、前記浄水器が設置される構造物の底板に着脱可能に固定することができるように、前記下部ケースの底面に取り付けられた磁性体を含む、請求項５に記載の浄水器漏水防止装置。
【請求項７】
前記下部ケースを、前記浄水器が設置される構造物の底板に着脱可能に固定することができるように、前記下部ケースの底面に取り付けられた両面テープを含む、請求項５に記載の浄水器漏水防止装置。
【請求項８】
前記下部ケースを、前記浄水器が設置される構造物の底板に着脱可能に固定することができるように、前記下部ケースの底面に取り付けられたスクリューを含む、請求項５に記載の浄水器漏水防止装置。
【請求項９】
前記上部ケース及び下部ケースの少なくともどちらかの一方は、透明体から形成される、請求項１ないし８の何れか一項に記載の浄水器漏水防止装置。
【発明の詳細な説明】
【技術分野】
【０００１】
本発明は、浄水器叉はアンダーシンクからの原水などの流体の漏れを検出し、原水移動通路を自動閉鎖する浄水器漏水防止装置に関する。
【０００２】
詳細には、浄水器叉はアンダーシンクから漏れる流体に起因してパルプ圧縮体の体積が膨張する場合、それに連動するチェックバルブ用プランジャーにより浄水器などへ流入してくる原水を自動遮断し、それ以上の流体が漏れないようにする浄水器の漏水防止装置に関する。
【背景技術】
【０００３】
図１に示すように、従来技術による浄水器の漏水防止装置は、紙紐１が突出するように側壁の一部が切開された開放部２と、両側壁に取付溝３が備えられた箱状のボディー４と、ボディー４に開閉可能に装着される蓋５とからなり、ボディー４内の底面に固定キャップ１３により固定されるコイルばね型の弾性部６と、弾性部６から延長形成され、ボディー４に固定される固定片７と、弾性部６から延長形成され、紙紐１の結束が解除される際に遊動する遊動片８とを備え、コイルばね１４を形成し、取付溝３に装着されるホース９の流路を開閉させる、ボール１０が内蔵されているバルブボディー１１と、バルブのボール１０と連動するように底面に装着され、回転の際、ボール１０を回転させ、流路を開閉させるレバー１２とを備え、ボールバルブ１５を形成する。
【０００４】
これにより、厨房などに取り付けられる浄水器などから漏水が生じた場合、開放部２を通じてボディー４内に流入する漏出水により濡れた状態となった紙紐１は切断される。コイルばね１４の弾性復元力により固定片７に対して遊動片７が動くにつれレバー１２を約９０度回転する（仮想線図示）。レバー１２の回転によりバルブのボール１０を連動させ、ホース９の流路を遮断することができる。
【０００５】
従来技術による漏水防止装置は、浄水器などから漏水し、ボディー４内に流入する漏出水により紙紐１が適時に切断されない場合は、漏水防止が正常に行われにくい。そのため、浄水器などから厨房などへの漏水量が増大し、高価な床板又は壁紙が破損してしまうなど、経済的な被害を受けるといった問題があった。
【０００６】
また、漏水が発生しなかった状況において、コイルばね１４の弾性復元力により紙紐１が切れてしまった場合、漏水防止装置の誤作動を招来する虞があった。
【０００７】
また、紙紐１の結束解除時、コイルばね１４の弾性復元力により遊動片８がレバー１２を回転させ、ボールバルブ１５を閉鎖させる場合、遊動片８の遊動半径とレバー１２の回転半径が正確に一致しない場合、漏水防止装置の誤作動を招くことになる。このことから、漏水防止装置に対する信頼性及び安全性が 劣る。
【発明の概要】
【発明が解決しようとする課題】
【０００８】
本発明は、浄水器などから漏出される流体によりパルプ圧縮体の体積が膨張する場合、それに連動されるチェックバルブ用プランジャーにより浄水器などへ流入する原水を自動遮断し、それ以上の流体の漏出が生じないように防止することによって、漏水による床や壁紙の破損、叉は漏水による損害の発生を防ぐ浄水器漏水防止装置を提供する。
【０００９】
本発明は、浄水器などからの漏水を感知するための別途の感知装置及び浄水器側に流入する原水を遮断するための別途の動力源の使用を不要とする浄水器漏水防止装置を提供する。
【００１０】
本発明は、漏水防止装置を一回使用した後、パルプ圧縮体のみを交換し、繰り返して使用することができる浄水器漏水防止装置を提供する。
【００１１】
本発明は、漏水防止装置の故障又は誤作動の心配がないため、使用者に対して信頼性及び安全性を確保できる浄水器漏水防止装置を提供する。
【課題を解決するための手段】
【００１２】
本発明に係る浄水器漏水防止装置は、原水供給源からの原水を浄水器に供給する流路に設けられる浄水器漏水防止装置において、原水供給源と連通する原水流入口と、浄水器と連通する原水排出口と、原水流入口と原水排出口を連通させる原水移動通路とが内部に形成される上部ケースと、上部ケースの底面に固定されており、浄水器から漏水し、底部を通じて流入してくる漏出水を吸収する場合、その体積が膨張する圧縮体が内蔵されている下部ケースと、原水移動通路を開閉させるように遊動可能に組み合わせられ、漏出水の吸収により圧縮体の体積の膨張時、それに連動し、原水移動通路を閉鎖させ、原水排出口を通じて原水が排出されることを遮断するチェックバルブ用プランジャーとを、含む。
【００１３】
望ましい実施例によれば、前述した圧縮体として、パルプ圧縮体、スポンジペーパー、不織布、レーヨンの何れか一つが用いられる。
【００１４】
前記圧縮体は、下部ケースの底面から露出されており、漏出水が接触して吸収される時間を最小化させるように底面に突出部が形成されている。
【００１５】
前記浄水器漏水防止装置は、前記チェックバルブ用プランジャーの下端に固定され、圧縮体の膨張時、チェックバルブ用プランジャーを押し上げる支持板を含む。
【００１６】
前記浄水器漏水防止装置は、前記チェックバルブ用プランジャーを、原水移動通路を閉鎖させる反対方向に弾性支持する弾性部材を含む。
【００１７】
前記浄水器漏水防止装置は、前記下部ケースを、浄水器が設置される構造物の底板に着脱可能に固定し得るように、下部ケースの底面に固定される磁性体を含む。
【００１８】
前記浄水器漏水防止装置は、前記下部ケースを、浄水器が設置される構造物の底板に着脱可能に固定し得るように、下部ケースの底面に固定される両面テープを含む。
【００１９】
前記浄水器漏水防止装置は、前記下部ケースを、浄水器が設置される構造物の底板に着脱可能に固定し得るように、下部ケースの底面に固定されるスクリューを含む。
【００２０】
前記上部ケース及び下部ケースの少なくともどちらか一方は、透明体から形成される。
【発明の効果】
【００２１】
本発明による浄水器漏水防止装置は、次のような利点を有する。浄水器などから漏れる流体に起因し、パルプ圧縮体の体積が膨張する場合、それに連動するチェックバルブ用プランジャーにより浄水器などへ流入する原水を自動遮断し、それ以上の流体の漏出を防止することによって、漏水により発生し得る２次的な被害（例えば、水分浸透により木質床板に反りが生じる床の破損や漏水による損害の発生）を予防できる。
【００２２】
また、浄水器などからの漏水を感知するための別途の感知装置、及び浄水器側に流入する原水を遮断するための別途の動力源の使用を不要とするので、製造コストを削減することができ、取扱い及び設置が容易であるので、使用者の使い勝手が向上する。
【００２３】
また、漏水防止装置を一回使用した後、パルプ圧縮材のみを交換し、繰り返して使用することができるので、メンテナンス費用を低減できる。
【００２４】
さらに、漏水防止装置の故障又は誤作動の心配がないので、使用者に信頼性及び安全性を提供できる。
【図面の簡単な説明】
【００２５】
【図１】従来技術による浄水器漏水防止装置の概略図。
【図２】本発明の実施例による浄水器漏水防止装置の底面図。
【図３】図２のＡ−Ａ線における断面図。
【図４】図２のＢ−Ｂ線における断面図。
【図５】図２のＣ−Ｃ線における断面図。
【図６】本発明の実施例による浄水器漏水防止装置において、原水の移動通路を閉鎖させることを表す断面図。
【図７】本発明の実施例による浄水器漏水防止装置を流し台の内部に設けたことを表す図面。
【図８】本発明の実施例による浄水器漏水防止装置が装着された浄水器を流し台の上に設けたことを表す図面。
【発明を実施するための形態】
【００２６】
以下、本発明の望ましい実施例を添付図面を参照して説明するが、これは、本発明が属する技術分野において通常の知識を有する者が発明を容易に実施し得る程度に詳細に説明するもので、本発明の技術的思想及び範囲を限定するものではない。
【００２７】
図２ないし図８に示すように、本発明の実施例による浄水器漏水防止装置は、原水供給源から原水を浄水器に供給する流路に設けられる浄水器漏水防止装置Ａにおいて、原水（水道水、地下水など）の供給源と連通する原水流入口５０と、浄水器５１と連通する原水排出口５２と、原水流入口５０と原水排出口５２を連通させる原水移動通路５３とが内部に形成される上部ケース５４と、上部ケース５４の底面から離間して固定され、浄水器５１から漏水し、底部を通じて流入してくる漏出水を吸収する場合、体積が膨張する圧縮体５５（一例でパルプ圧縮材が挙げられる）が内蔵されている下部ケース５６と、原水移動通路５３を開閉させるように遊動可能に組み合わされ、漏出水の吸収により圧縮体５５の体積が膨張する時、それに連動して原水移動通路５３を閉鎖させ、原水排出口５２を通じて原水が排出されることを遮断するチェックバルブ用プランジャー５７と、チェックバルブ用プランジャー５７を原水移動通路５３を閉鎖させる反対方向に弾性支持する弾性部材６３（一例で圧縮コイルばねが挙げられる）とを含む。
【００２８】
圧縮体５５として、パルプ圧縮体、又は水を吸収する場合、約１０倍程膨張するスポンジペーパー（紙スポンジとも言われる）、不織布、レーヨンの何れかが用いられる。
【００２９】
チェックバルブ用プランジャー５７の下端に取り付けられ、圧縮体５５の膨張時、チェックバルブ用プランジャー５７を押し上げる支持板５８を含む。
【００３０】
下部ケース５６を、浄水器５１が設置される構造物（一例で、アンダーシンク型の浄水器が設置される流し台）の底板６２（金属材の場合）に、着脱可能に固定することができるように、下部ケース５６の底面に固定される磁性体５９を含む。
【００３１】
下部ケース５６を、浄水器５１が設置される構造物（一例で、アンダーシンク型の浄水器が設けられる流し台）の底板６２に、着脱可能に固定することができるように、下部ケース５６の底面に固定される両面テープ６０を含む。
【００３２】
下部ケース５６を、浄水器５１が設置される構造物（一例で、アンダーシンク型の浄水器が設置される流し台）の底板６２に、着脱可能に固定することができるように、下部ケース５６の底面に固定されるスクリュー６１を含む。
【００３３】
圧縮体５５は、下部ケース５６の底面から露出されており、漏出水が接触して吸収される時間を最小化させるように、底面に突出部５５ａが形成される。
【００３４】
上部ケース５４及び下部ケース５６の少なくともどちらか一方は、透明体（一例で、ＡＢＳ材、ＰＣ材など）から形成される。
【００３５】
以下、本発明の実施例による浄水器漏水防止装置の使用例を添付図面を参照して説明する。
【００３６】
（１）原水供給源から原水漏水防止装置Ａを通って浄水器５１に原水が供給されることについて添付図面を参照して説明する。
【００３７】
図２、図３、図７に示すように、アパートなどような住宅やオフィスなどの厨房用流し台内にアンダーシンク型の浄水器５１が設けられた場合、原水供給源からの原水の一部は、水道栓７０に直接供給して使われるが、原水の他の一部は、漏水防止装置Ａを通って浄水器５１に供給される。
【００３８】
浄水器５１に供給される原水は、直列に連結してある段階別浄水フィルター（一例で、四つの浄水フィルターが用いられる）を順番に通過し、浄水処理された後、蛇口７１に供給される。
【００３９】
原水供給源からの原水は、原水流入口５０を通じて上部ケース５４の原水移動通路５３に流入された後、原水排出口５２を通過し、浄水器５１側へ移動される。この際、支持板５８、５８ａ間に設けられた弾性部材６３の弾性力により支持板５８を、図において下方に押圧する初期状態を維持することによって、支持板５８に下端が固定されたチェックバルブ用プランジャー５７を、圧縮体５５の方へ引っ張ることになる。これにより、原水移動通路５３を開放させた初期状態を維持することができる。
【００４０】
一方、原水移動通路５３へ流入する原水は、上部ケース５４に取り付けられたパッキング５４ａにより気密が保たれるので、下部ケース５６側への漏洩が防止される。また、浄水器５１から原水叉は浄水が漏れないので、下部ケース５６の底面を通じて圧縮体５５側に原水又は浄水が供給される心配はない。そのことから、圧縮体５５は、水を吸収することがないため、乾燥された初期状態を保持できる。
【００４１】
（２）原水供給源から原水漏水防止装置Ａを通過し、浄水器５１に供給される原水が遮断されることについて、添付図面を参照して説明する。
【００４２】
図２、図６、図７に示すように、原水供給源からの原水の一部は、水道栓７０に直接供給されて使われるが、原水の他の一部は、漏水防止装置Ａを通過し、アンダーシンク型の浄水器５１に供給される。
【００４３】
浄水器５１から漏水が生じると、底板６２の上に漏出水が溜まることになる。この際、流し台の底板６２から離間して固定された下部ケース５６の底面を通じて下部ケース５６へ流入する漏出水を吸収することにより、圧縮体５５が膨張する。
【００４４】
この際、チェックバルブ用プランジャー５７の下端に固定された支持板５８が、膨張する圧縮体５５に従って、下部ケース５６内で上昇する。この際、弾性部材６３は、圧縮力を受ける。支持板５８の上昇により、チェックバルブ用プランジャー５７を、図において上方に向けて押し上げる。
【００４５】
これにより、チェックバルブ用プランジャー５７の上端に装着されたＯリング５７ａの気密により、原水移動通路５３を閉鎖する。即ち、原水供給源から原水流入口５０を通じて上部ケース５４に流入し、原水排出口５２側へ移動する原水の流れを遮断する。
【００４６】
したがって、浄水器５１への原水流入が遮断されるため、浄水器からそれ以上の流体（原水又は浄水）が漏れることを防止できる。
【００４７】
前記したように、浄水器５１から漏水が生じる場合、浄水器５１に供給されるはずの原水が自動遮断されるため、使用者は、浄水器５１から漏水を確認でき、所定の措置を講じることが可能となる。
【００４８】
この際、下部ケース５６は、底板６２にスクリュー６１、磁性体５９、両面テープ６０などにより着脱可能に取り付けられているので、下部ケース５６から水を吸収した圧縮体５５を新しいものに交換することができる。これにより、浄水器の漏水防止装置を繰り返して再使用することができる。
【００４９】
図８に示すように、本発明の実施例による浄水器の漏水防止装置は、原水供給源から供給される原水を浄水フィルター（一例で、四つの浄水フィルターが用いられる）により浄水処理してから、使用者が、浄水を飲用することができるように設置される浄水器の上流側の管路に設けてもよい。
【００５０】
この際、浄水器５１から原水又は浄水が漏れる場合、下部ケース５６へ流入する漏出水を吸収する際、圧縮体５５の膨張に連動するチェックバルブ用プランジャー５７により原水移動通路５３を閉鎖させ、浄水器５１側への原水の移動を遮断する技術内容は、図７に示すものと実質的に同様に適用されるので、これらに対する詳しい説明は省略する。
【００５１】
以上のように、本発明によれば、浄水器の漏水防止装置は、浄水器などから漏れる漏出水によりパルプ圧縮体の体積が膨張する場合、それに連動するチェックバルブ用プランジャーにより浄水器などに流入する原水を自動遮断することによって、それ以上の流体の漏出を防止することができる。漏水防止装置を一回使用した後、パルプ圧縮体のみを交換し、繰り返して使用することができる。漏水防止装置の故障又は誤作動などの心配がないため、使用者に対して信頼性及び安全性を提供することができる。
【産業上の利用可能性】
【００５２】
本発明に係る浄水器漏水防止装置は、次の利点を有する。浄水器などから漏れる漏出水に起因してパルプ圧縮体の体積が膨張する場合、それに連動するチェックバルブ用プランジャーにより浄水器などへ流入する原水を自動遮断し、それ以上の流体の漏出を防止することによって、漏水により発生し得る２次的な被害（水分浸透に起因して木材の床に反りが生じることによる床の破損、あるいは漏水による損害発生）を予防することができる。
【００５３】
また、浄水器などからの漏水を感知するための別途の感知装置、及び浄水器側へ流入する原水を遮断するための別途の動力源の使用が不要となり、製造コストの削減を図ることができ、取扱い及び設置が容易で、使用者に利便性を提供することができる。
【００５４】
また、漏水防止装置を一回使用した後、パルプ圧縮体のみを交換し、繰り返して使うことによって、メンテナンスの費用を大幅に削減することができる。
【００５５】
さらに、漏水防止装置の故障叉は誤作動の心配がないので、使用者に対して信頼性及び安全性を与えることができる。
【符号の説明】
【００５６】
５０  原水流入口
５１  浄水器
５２  原水排出口
５３  原水移動通路
５４  上部ケース
５５  圧縮体
５６  下部ケース
５７  チェックバルブ用プランジャー
５８  支持板
５９  磁性体
６０  両面テープ
６１  スクリュー
６２  底板
６３  弾性部材
【図１】
2011521123.tif 000003
【図２】
2011521123.tif 000004
【図３】
2011521123.tif 000005
【図４】
2011521123.tif 000006
【図５】
2011521123.tif 000007
【図６】
2011521123.tif 000008
【図７】
2011521123.tif 000009
【図８】
2011521123.tif 000010
【国際調査報告】
2011521123.tif 000011
2011521123.tif 000012
2011521123.tif 000013
2011521123.tif 000014